(57)【要約】【課題】躯体表面に多少の不陸があったとしても、躯体表面と外断熱用断熱材との間に隙間を残存させない外断熱用断熱材及びその施工方法を提供する。【解決手段】垂直な躯体表面９０ａに四角板形状の外断熱用断熱材２０を貼付する外断熱用断熱材２０の施工方法である。貼付時の上面の躯体表面９０ａ側の縁部８０ａに面取り８０ｂが形成された外断熱用断熱材２０を用意する。次いで、外断熱用断熱材２０の裏面に接着剤８２を塗布し、接着剤８２によって躯体表面９０ａに外断熱用断熱材２０を貼付する。そして、面取り８０ｂによって外断熱用断熱材２０と躯体表面９０ａとの間に形成される隙間にシーリング材８３を充填する。【選択図】図６
2005076271.tif 000002
【特許請求の範囲】
【請求項１】
垂直な躯体表面に貼付され、外面側に外壁材が固定される四角板形状の外断熱用断熱材において、
貼付時の上面及び下面の少なくとも一方の前記躯体表面側の縁部には面取りが形成されていることを特徴とする外断熱用断熱材。
【請求項２】
貼付時の両側面の少なくとも一方の前記躯体表面側の縁部には面取りが形成されていることを特徴とする請求項１記載の外断熱用断熱材。
【請求項３】
垂直な躯体表面に四角板形状の外断熱用断熱材を貼付する外断熱用断熱材の施工方法において、
貼付時の上面及び下面の少なくとも一方の前記躯体表面側の縁部に面取りが形成された外断熱用断熱材を用意する第１工程と、
該躯体表面又は該外断熱用断熱材の裏面に接着剤を塗布する第２工程と、
該接着剤によって該躯体表面に該外断熱用断熱材を貼付する第３工程と、
該面取りによって該外断熱用断熱材と該躯体表面との間に形成される隙間にシーリング材を充填する第４工程とを備えていることを特徴とする外断熱用断熱材の施工方法。
【請求項４】
前記第１工程の外断熱用断熱材は、貼付時の両側面の少なくとも一方の前記躯体表面側の縁部に面取りが形成されていることを特徴とする請求項３記載の外断熱用断熱材の施工方法。
【発明の詳細な説明】
【技術分野】
【０００１】
本発明は外断熱用断熱材及びその施工方法に関する。
【背景技術】
【０００２】
従来、図１４に示すように、コンクリート等の躯体９０の表面である垂直な躯体表面９０ａに貼付される四角板形状の外断熱用断熱材８０が知られている（特許文献１）。一般的な外断熱用断熱材８０は、ポリスチレンフォーム等の発泡した材料を押出成形したままのものであり、全ての縁部８０ａが直角に形成されている。この外断熱用断熱材８０の外面側にはモルタル層９１及び接着剤９２を介してタイル等の外壁材９３が固定される。
【０００３】
垂直な躯体表面９０ａにこの種の外断熱用断熱材８０を貼付する場合、まずその種の外断熱用断熱材８０を用意し、図１５に示すように、各外断熱用断熱材８０の裏面に接着剤８１を塗布する。この際、接着剤８１は、外断熱用断熱材８０の周囲に沿ったリング状の部分８１ａと、その部分８１ａ内に点在される部分８１ｂとされることが一般的である。なお、躯体表面９０に接着剤８１を同様に塗布することもなされ得る。そして、それら接着剤８１の部分８１ａ、８１ｂによって躯体表面９０に外断熱用断熱材８０を貼付する。この際、リング状の部分８１ａは躯体表面９０ａと外断熱用断熱材８０との間に雨水等の水が浸入することを防止する。こうして躯体表面９０ａに貼付された外断熱用断熱材８０の外面側には、図１４に示すように、モルタル層９１が形成される。モルタル層９１はガラス繊維等のネットを有し得る。そして、モルタル層９１の外面側にさらに接着剤９２が塗布され、この接着剤９２によってタイル等の外壁材９３が固定されるのである。
【０００４】
【特許文献１】特開平５−４２９８９号公報
【発明の開示】
【発明が解決しようとする課題】
【０００５】
しかし、上記従来の外断熱用断熱材及びその施工方法では、図１６に示すように、コンクリート等の躯体９０の表面である躯体表面９０ａは不陸を生じ易く、従来の外断熱用断熱材及びその施工方法では、その不陸のために躯体表面９０ａと外断熱用断熱材８０との間に隙間が残存してしまう。
【０００６】
施工途中又は施工後に降雨があった場合等の雨水等の水はリング状をなす接着剤８１の部分８１ａにより外断熱用断熱材８０の裏面に浸入しにくくされてはいるが、躯体表面９０ａと外断熱用断熱材８０との間の隙間の大きさによってはその浸入防止が不十分となり、外断熱用断熱材８０の裏面に水が滞留することとなる。この場合、断熱性が損なわれたり、外断熱用断熱材８０等に劣化を生じたりしてしまう。これを避けるためにリング状をなす接着剤８１の部分８１ａを厚く塗布するとすれば、作業性が悪化するとともに、外断熱用断熱材８０が躯体表面９０ａから浮き易く、外装材９３の固定に支障を来たしてしまう。
【０００７】
本発明は、上記従来の実情に鑑みてなされたものであって、躯体表面に多少の不陸があったとしても、躯体表面と外断熱用断熱材との間に隙間を残存させない外断熱用断熱材及びその施工方法を提供することを解決すべき課題としている。
【課題を解決するための手段】
【０００８】
本発明の外断熱用断熱材は、垂直な躯体表面に貼付され、外面側に外壁材が固定される四角板形状の外断熱用断熱材において、
貼付時の上面及び下面の少なくとも一方の前記躯体表面側の縁部には面取りが形成されていることを特徴とする。
【０００９】
また、本発明の外断熱用断熱材の施工方法は、垂直な躯体表面に四角板形状の外断熱用断熱材を貼付する外断熱用断熱材の施工方法において、
貼付時の上面及び下面の少なくとも一方の前記躯体表面側の縁部に面取りが形成された外断熱用断熱材を用意する第１工程と、
該躯体表面又は該外断熱用断熱材の裏面に接着剤を塗布する第２工程と、
該接着剤によって該躯体表面に該外断熱用断熱材を貼付する第３工程と、
該面取りによって該外断熱用断熱材と該躯体表面との間に形成される隙間にシーリング材を充填する第４工程とを備えていることを特徴とする。
【００１０】
本発明の外断熱用断熱材は貼付時の上面及び下面の少なくとも一方の躯体表面側の縁部に面取りが形成されている。このため、その面取りに沿ってシーリング材を設けることにより、躯体表面の不陸による隙間を埋めることが可能になる。すなわち、本発明の施工方法として、垂直な躯体表面にこの外断熱用断熱材を貼付する場合、まず第１工程で本発明の外断熱用断熱材を用意し、第２工程で躯体表面又は外断熱用断熱材の裏面に接着剤を塗布し、さらに第３工程で接着剤によって躯体表面に外断熱用断熱材を貼付した後、第４工程において、面取りによって外断熱用断熱材と躯体表面との間に形成される隙間にシーリング材を充填することができる。
【００１１】
したがって、本発明の外断熱用断熱材及びその施工方法では、躯体表面に多少の不陸があったとしても、躯体表面と外断熱用断熱材との間に隙間を残存させない。
【００１２】
このため、施工途中又は施工後に降雨があった場合等であっても、その雨水等の水は外断熱用断熱材の裏面に侵入することはなく、断熱性は確実に維持され、外断熱用断熱材等に劣化も生じ難い。また、躯体表面又は外断熱用断熱材の裏面に塗布する接着剤をリング状にする必要がなく、かつ厚くする必要がないため、作業性が向上するとともに、外断熱用断熱材が躯体表面から浮くことがなく、外装材の固定に支障を来たすことがない。
【００１３】
本発明の外断熱用断熱材は、貼付時の両側面の少なくとも一方の躯体表面側の縁部には面取りが形成されていることが好ましい。本発明の施工方法においても、第１工程の外断熱用断熱材は、貼付時の両側面の少なくとも一方の躯体表面側の縁部に面取りが形成されていることが好ましい。こうであれば、側面側の面取りに沿ってシーリング材を設けることも可能であり、側面側の隙間も埋めることが可能になる。これにより一層本発明の効果を奏することができる。
【００１４】
全ての縁部が直角に形成された従来の外断熱用断熱材から本発明の外断熱用断熱材を得るため、従来の外断熱用断熱材に対して以下の工具を用いることが好ましい。
【００１５】
第１の工具は、表面と側面とで形成される全ての縁部が直角に形成された第１外断熱用断熱材から、該縁部に面取りが形成された第２外断熱用断熱材を得るための工具であって、前記第１外断熱用断熱材の前記表面に当接する当接面をもつとともに該当接面の所定位置に開く開口をもつ第１プレートと、該第１プレートに対して傾斜して延在し、該開口から刃を突出可能な第２プレートと、該当接面と直交し、該第１外断熱用断熱材の該側面に当接するガイド面をもつガイドとを備えていることを特徴とする。
【００１６】
第１の工具により従来の外断熱用断熱材である第１外断熱用断熱材から本発明の外断熱用断熱材である第２外断熱用断熱材を得る場合、まず第１プレートとガイドとにより第１外断熱用断熱材の縁部を固定する。この際、第１プレートの開口は縁部から所定距離隔てられる。そして、第２プレートの刃を開口から突出させ、この状態で第１の工具を縁部に沿って摺動させる。これにより、その縁部に容易に面取りを形成することができる。
【００１７】
第２の工具は、前記第１の工具おいて、前記ガイドが前記第１プレートに対し、前記当接面の延長方向であって、かつ該第１プレートと前記第２プレートとの交線に直交する方向に移動可能であることを特徴とする。
【００１８】
第２の工具によれば、第１プレートとガイドとにより第１外断熱用断熱材の縁部を固定する際、第１プレートの開口が縁部から隔てられる距離を調整することが可能である。このため、縁部に形成する面取りの大きさを調整することができる。
【００１９】
第３の工具は、第１又は第２の工具において、前記第２プレートが前記第１プレートに対して揺動可能に構成されていることを特徴とする。
【００２０】
第３の工具によれば、第２プレートが第１プレートに対して傾斜する角度を調整することができるため、縁部に形成する面取りの角度を調整することができる。
【発明を実施するための最良の形態】
【００２１】
以下、本発明の外断熱用断熱材及びその施工方法を外壁工事に具体化した実施例１〜３を図面を参照しつつ説明する。
【実施例１】
【００２２】
まず、第１工程として、図１に示す工具１０を用意する。この工具１０は、薄い四角板形状の第１プレート１と、この第１プレート１の一辺側で第１プレート１に対して４５度傾斜しつつ第１プレート１と一体をなす薄い半円形状の第２プレート２と、第１プレート１の両側で第１プレート１と第２プレート２とを繋ぐ連結部３と、第１プレート１の一辺側で第１プレート１の下面である当接面１ａに対して直角に下方に屈曲したガイド面４ａをもつガイド４とを備えている。第２プレート２の中央部分には、第１プレート１の一辺側に直角に延びる凹溝２ａが形成されており、凹溝２ａには先端に刃５ａをもつカッタ５が摺動可能に設けられている。第１プレート１の一辺側には、図２に示すように、カッタ５の刃５ａを下面１ａに突出させる開口１ｂが形成されている。
【００２３】
図３に示すように、この工具１０により従来の外断熱用断熱材（第１外断熱用断熱材）８０から実施例１の外断熱用断熱材（第２外断熱用断熱材）２０を得る場合、まず第１プレート１とガイド４とにより従来の外断熱用断熱材８０の縁部８０ａを固定する。その縁部８０ａはその外断熱用断熱材８０の貼付時の上面側に位置するものである。この際、第１プレート１の開口１ｂは縁部８０ａから所定距離隔てられる。そして、第２プレート２の凹溝２ａに沿ってカッタ５を摺動させることにより、カッタ５の刃５ａを開口１ｂから突出させ、この状態で工具１０を縁部８０ａに沿って摺動させる。これにより、その縁部８０ａに容易に面取り８０ｂを形成することができる。こうして実施例１の外断熱用断熱材２０を得る。
【００２４】
図１４に示すような垂直な躯体表面９０ａにこの外断熱用断熱材２０を貼付する場合、第２工程として、図４に示すように、外断熱用断熱材２０の裏面に接着剤８２を塗布する。この際、接着剤８２は、外断熱用断熱材２０の幅方向で上下に延びる複数本の部分８２ａとされる。
【００２５】
そして、第３工程として、図５に示すように、接着剤８２によって躯体表面９０ａに外断熱用断熱材２０を貼付する。この後、第４工程として、図６にも示すように、面取り８０ｂによって外断熱用断熱材２０と躯体表面９０ａとの間に形成される隙間にシーリング材８３を充填する。
【００２６】
この際、図５に示すように、例えば、躯体表面９０ａに対面し、まず、左側から下段Ａの第１、２…の外断熱用断熱材２０１、２０２、２０３…を貼付した後、これらの外断熱用断熱材２０１、２０２、２０３…と躯体表面９０ａとの間に形成される隙間にシーリング材８３を充填する。この後、左側から上段Ｂの第１、２…の外断熱用断熱材２１１、２１２、２１３…を貼付した後、これらの外断熱用断熱材２１１、２１２、２１３…と躯体表面９０ａとの間に形成される隙間にシーリング材８３を充填する。これらの作業を順次行う。
【００２７】
こうして、躯体表面９０ａの不陸による隙間を埋めることが可能になる。この後、外断熱用断熱材２０の外面側には、図１４に示すように、モルタル層９１が形成され、モルタル層９１の外面側にさらに接着剤９２が塗布され、この接着剤９２によってタイル等の外壁材９３が固定される。
【００２８】
したがって、この外断熱用断熱材２０及びその施工方法では、図７に示すように、躯体表面９０ａに多少の不陸があったとしても、躯体表面９０ａと外断熱用断熱材２０との間に隙間を残存させない。
【００２９】
このため、施工途中又は施工後に降雨があった場合等であっても、その雨水等の水は外断熱用断熱材２０の裏面に侵入することはなく、断熱性は確実に維持され、外断熱用断熱材２０等に劣化も生じ難い。また、外断熱用断熱材２０の裏面に塗布する接着剤８２をリング状にする必要がなく、かつ厚くする必要がないため、作業性が向上するとともに、外断熱用断熱材２０が躯体表面から浮くことがなく、外装材９３の固定に支障を来たすことがない。
【実施例２】
【００３０】
実施例２の外断熱用断熱材２１は、図８に示すように、貼付時の上面の躯体表面９０ａ側の縁部８０ａに面取り８０ｂが形成されているとともに、貼付時の側面の躯体表面９０ａ側の縁部８０ａにも面取り８０ｃが形成されている。面取り８０ｃは、その外断熱用断熱材２１を順次貼付する時、下流側に位置するものである。面取り８０ｃの形成方法は実施例１と同様である。
【００３１】
図１４に示すように、垂直な躯体表面９０ａにこの外断熱用断熱材２１を貼付する場合、第１工程において、まずこの外断熱用断熱材２１を用意する。そして、第２工程において、実施例１と同様に躯体表面９０ａに接着剤８２を塗布し、第３工程として、接着剤８２によって躯体表面９０ａに外断熱用断熱材２１を貼付する。この後、第４工程として、面取り８０ｂ、８０ｃによって外断熱用断熱材２１と躯体表面９０ａとの間に形成される隙間にシーリング材８３を充填する。他の条件等は実施例１と同様である。
【００３２】
この外断熱用断熱材２１及びその施工方法では、外断熱用断熱材２１の側面の縁部８０ａにも面取り８０ｃが形成されているため、その面取り８０ｃに沿ってシーリング材８３を設けることも可能であり、側面側の隙間も埋めることが可能になる。これにより一層本発明の効果を奏することができる。
【実施例３】
【００３３】
実施例３の外断熱用断熱材２２は、図９に示すように、貼付時の下面の躯体表面９０ａ側の縁部８０ａに面取り８０ｄが形成されている。他の構成は実施例１又は実施例２と同様である。面取り８０ｄの形成方法及びこの外断熱用断熱材２２の施工方法は実施例１又は実施例２と同様である。
【００３４】
この外断熱用断熱材２２及びその施工方法では、外断熱用断熱材２２の下面の縁部８０８０ａにも面取り８０ｄが形成されているため、その面取り８０ｄに沿ってシーリング材８３を設けることが可能であり、その隙間を確実に埋めることが可能になる。これにより一層本発明の効果を奏することができる。また、この下面側の面取り８０ｄによりシーリング材８３の余剰分が逃げることとなり、シーリング材８３が外断熱用断熱材２２の下面や表面側にはみ出すことによる不具合を防止することもできる。
【００３５】
なお、本発明において、図１０及び図１１に示す工具１１を採用することもできる。この工具１１は、第１プレート１に対し、当接面１ａの延長方向であって、かつ第１プレート１と第２プレート２との交線に直交する方向に摺動可能なガイド６を採用している。他の構成は実施例１で用いた工具１０と同一である。
【００３６】
この工具１１によれば、第１プレート１とガイド６とにより従来の外断熱用断熱材８０の縁部８０ａを固定する際、第１プレート１の開口１ｂ（図２参照）が縁部８０ａから隔てられる距離を調整することが可能である。このため、縁部８０ａに形成する面取り８０ｂ〜８０ｄの大きさを調整することができる。
【００３７】
また、本発明において、図１２に示す工具１２を採用することもできる。この工具１２は、第１プレート１の上面の両側にブラケット７ａが形成され、第２プレート２はそれらのブラケット７ａに挿通されたピン７ｂによって回動可能に構成されている。また、第１プレート１の上面の両側にはピン７ｂを中心とする円弧状のレール７ｃが形成され、第２プレート２にもピン７ｂを中心とする円弧状のアーム７ｄが各レール７ｃに向かって形成されている。各アーム７ｄは、各レール７ｃ内を摺動可能であるとともに、ねじ７ｅにより各レール７ｃに固定されることも可能にもなっている。他の構成は実施例１で用いた工具１０と同様である。
【００３８】
この工具１２によれば、第２プレート２が第１プレート１に対して傾斜する角度を調整することができるため、縁部８０ａに形成する面取り８０ｂ〜８０ｄの角度を調整することができる。
【００３９】
なお、図１３に示すように、定規１３と市販のカッタ１４とを用意し、これらによって従来の外断熱用断熱材８０の縁部８０ａに面取り８０ｂ〜８０ｄを形成することもできる。
【産業上の利用可能性】
【００４０】
本発明はタイル張り外断熱構造及びその施工方法に利用可能である。
【図面の簡単な説明】
【００４１】
【図１】実施例１の外断熱用断熱材に用いる工具の斜視図である。
【図２】実施例１の外断熱用断熱材に用いる工具の拡大断面図である。
【図３】実施例１の外断熱用断熱材に用いる工具の使用時の側面図である。
【図４】実施例１の外断熱用断熱材等の斜視図である。
【図５】実施例１の外断熱用断熱材の施工途中を示す斜視図である。
【図６】実施例１の外断熱用断熱材の施工途中を示す側面図である。
【図７】実施例１の外断熱用断熱材の施工途中を示す上面図である。
【図８】実施例２の外断熱用断熱材の斜視図である。
【図９】実施例３の外断熱用断熱材の施工途中を示す側面図である。
【図１０】実施例１等の外断熱用断熱材に用いる他の工具の斜視図である。
【図１１】実施例１等の外断熱用断熱材に用いる他の工具の使用時の側面図である。
【図１２】実施例１等の外断熱用断熱材に用いるさらに他の工具の使用時の側面図である。
【図１３】実施例１等の外断熱用断熱材に用いる他の工具等の斜視図である。
【図１４】従来の外壁工事の様子を示す斜視図である。
【図１５】従来の外断熱用断熱材等の斜視図である。
【図１６】従来の外断熱用断熱材の施工途中を示す上面図である。
【符号の説明】
【００４２】
９０ａ…躯体表面
９３…外壁材
８０、２０〜２２…外断熱用断熱材
８０ａ…縁部
８０ｂ、８０ｃ、８０ｄ…面取り
８２…接着剤
８３…シーリング材
【図１】
2005076271.tif 000003
【図２】
2005076271.tif 000004
【図３】
2005076271.tif 000005
【図４】
2005076271.tif 000006
【図５】
2005076271.tif 000007
【図６】
2005076271.tif 000008
【図７】
2005076271.tif 000009
【図８】
2005076271.tif 000010
【図９】
2005076271.tif 000011
【図１０】
2005076271.tif 000012
【図１１】
2005076271.tif 000013
【図１２】
2005076271.tif 000014
【図１３】
2005076271.tif 000015
【図１４】
2005076271.tif 000016
【図１５】
2005076271.tif 000017
【図１６】
2005076271.tif 000018